(57)【特許請求の範囲】
【請求項１】
ウォーカーにおける歩行ボード（２０）の底部に設置する駆動装置と、夫々歩行ボード（２０）とハンドルロッド（２２）と枢設する連動部材（１６）とを備え、駆動装置と連動部材（１６）との間に連動部材（１６）をハンドルロッド（２２）に対して回転させる伝動部材が設けられ、連動部材（１６）は二つの略く字形の連動アーム（１６２）を備え、該連動アーム（１６２）の中段が夫々ハンドルロッド（２２）の両側に枢設され、一端が夫々歩行ボード（２０）の両側に枢設されると共に、他端が連接アーム（１６４）と連接され、連接アーム（１６４）が伝動部材によって駆動装置と連接されることを特徴とする、歩行ボードの傾斜角度調整装置。
【請求項２】
駆動装置はモータ（１０）であり、伝動部材は伝動歯車（１２）と、歯を有する移動ロッド（１２２）とを備え、該伝動歯車（１２）がモータ（１０）の出力軸と連接、移動ロッド（１２２）が伝動歯車（１２）と噛合すると共に、一端が連接アーム（１６４）と枢接されることを特徴とする、請求項１に記載の歩行ボードの傾斜角度調整装置。
【請求項３】
モータ（１０）は歩行ボード（２０）の底部に枢設する支持フレーム（１１）に固設されることを特徴とする、請求項２に記載の歩行ボードの傾斜角度調整装置。
【請求項４】
支持フレーム（１１）に移動ロッド（１２２）を支持するガイドプレート（１１２）が折り出され、移動ロッド（１２２）をガイドプレート（１１２）に沿って摺動させることを特徴とする、請求項３に記載の歩行ボードの傾斜角度調整装置。
【請求項５】
駆動装置はモータ（１０）であり、伝動部材が螺合ロッド（１４）と螺合パイプ（１４２）とを備え、螺合ロッド（１４）がモータ（１０）における出力軸と同軸のように設置され、螺合パイプ（１４２）の一端が連動部材（１６）の連接アーム（１６４）と枢接されると共に、他端の内部に螺合ロッド（１４）と螺合できる内部ねじ山が設けられることを特徴とする、請求項１に記載の歩行ボードの傾斜角度調整装置。
【請求項６】
モータ（１０）は歩行ボード（２０）の底部に固設されることを特徴とする、請求項５に記載の歩行ボードの傾斜角度調整装置。
【発明の詳細な説明】
【０００１】
【発明の属する技術分野】
本発明は、特にウォーカー（歩行器）に設置すると共に、ウォーカーの歩行ボードの傾斜角度を調整できる歩行ボードの傾斜角度調整装置に関するものである。
【０００２】
【従来の技術】
ウォーカーは屋内によく使用される運動器具であり、足の筋肉を訓練するために用いられている。使用者の需要に応じるために、ウォーカーにおける歩行ボードの傾斜角度を調整できる。台湾実用新案第８７２１７２７６号の「ウォーカーにおける歩行ボードの高さ調整装置」がその例（以下に参考案とする）である。
【０００３】
【本発明が解決しようとする課題】
参考案の高さ調整装置は、主にウォーカーのフレームの両側に夫々連接プレートが設けられると共に、該連接プレートの中段が前置ロッドと枢接され、二つの連接プレートが連接ロッドによって連接され、又、連接ロッドが連動部材によって移動ロッドと枢設されると共に、前置ロッドに移動ロッドを連動させる制御部材が設置されることにより、移動ロッドを移動させる際、連接ロッドと連接プレートとを連動すると共に、歩行ボードを調整できる。
【０００４】
しかしながら、上記参考案の構造は以下の欠点を有する。
１．歩行ボードを直立した状態で収納するために、該歩行ボードが直接に連接プレートと枢設され、使用者がウォーカーを利用する際、全ての重量が連接プレートと連接ロッドを介して移動ロッドに転移されるので、移動ロッドが壊れやすくなる。
２．歩行ボードは、連接プレートと連接ロッドと移動ロッドによって前置ロッドに設置されるため、調整できる高さが制限され、若し歩行ボードの高さが高すぎに調整すれば、ウォーカーの重心が高くなると共に、使用する際の安定性も失ってしまい。
【０００５】
そこで、出願されたのが本発明であって、ウォーカーに設置すると共に、ウォーカーの歩行ボードの傾斜角度を調整できる歩行ボードの傾斜角度調整装置を提供することを目的としている。
【０００６】
【課題を解決するための手段】
本願の請求項１の発明は、ウォーカーにおける歩行ボード（２０）の底部に設置する駆動装置と、夫々歩行ボード（２０）とハンドルロッド（２２）と枢設する連動部材（１６）とを備え、駆動装置と連動部材（１６）との間に連動部材（１６）をハンドルロッド（２２）に対して回転させる伝動部材が設けられ、連動部材（１６）は二つの略く字形の連動アーム（１６２）を備え、該連動アーム（１６２）の中段が夫々ハンドルロッド（２２）の両側に枢設され、一端が夫々歩行ボード（２０）の両側に枢設されると共に、他端が連接アーム（１６４）と連接され、連接アーム（１６４）が伝動部材によって駆動装置と連接されることを特徴とする、歩行ボードの傾斜角度調整装置及び、本願の請求項２の発明は、駆動装置はモータ（１０）であり、伝動部材は伝動歯車（１２）と、歯を有する移動ロッド（１２２）とを備え、該伝動歯車（１２）がモータ（１０）の出力軸と連接、移動ロッド（１２２）が伝動歯車（１２）と噛合すると共に、一端が連接アーム（１６４）と枢接されることを特徴とする、請求項１に記載の歩行ボードの傾斜角度調整装置及び、本願の請求項３の発明は、モータ（１０）は歩行ボード（２０）の底部に枢設する支持フレーム（１１）に固設されることを特徴とする、請求項２に記載の歩行ボードの傾斜角度調整装置及び、本願の請求項４の発明は、支持フレーム（１１）に移動ロッド（１２２）を支持するガイドプレート（１１２）が折り出され、移動ロッド（１２２）をガイドプレート（１１２）に沿って摺動させることを特徴とする、請求項３に記載の歩行ボードの傾斜角度調整装置及び、本願の請求項５の発明は、駆動装置はモータ（１０）であり、伝動部材が螺合ロッド（１４）と螺合パイプ（１４２）とを備え、螺合ロッド（１４）がモータ（１０）における出力軸と同軸のように設置され、螺合パイプ（１４２）の一端が連動部材（１６）の連接アーム（１６４）と枢接されると共に、他端の内部に螺合ロッド（１４）と螺合できる内部ねじ山が設けられることを特徴とする、請求項１に記載の歩行ボードの傾斜角度調整装置及び、本願の請求項６の発明は、モータ（１０）は歩行ボード（２０）の底部に固設されることを特徴とする、請求項５に記載の歩行ボードの傾斜角度調整装置、を提供する。
【０００７】
【作用】
本発明は上記の課題を解決するものであり、歩行ボードの底面に設置する駆動装置と、連動部材と駆動装置との間に設置する伝動部材により、傾斜角度調整装置の設置空間を節約できるだけでなく、ウォーカーの安定性も向上でき、又、歩行ボードが直接にハンドルロッドと連接するので、歩行ボードの重量と使用者の体重がハンドルロッドによって支持されることにより、伝動部材の損壊が起こらなく、従って、ウォーカーにおける歩行ボードの傾斜角度調整装置の使用寿命を延長できる。
【０００８】
【発明の実施の形態】
以下、添付図面を参照して本発明の好適な実施の形態を詳細に説明する。
【０００９】
図１は本発明に係わる歩行ボードの傾斜角度調整装置を設置するウォーカーの平面図であり、図２は本発明に係わる歩行ボードの傾斜角度調整装置の斜視図であり、図３は本発明に係わる歩行ボードの傾斜角度調整装置の使用状態を示す平面図であり、図４は本発明に係わる歩行ボードの傾斜角度調整装置を有するウォーカーの収納状態を示す参考図であり、図５は本発明に係わる歩行ボードの傾斜角度調整装置の他実施例を設置するウォーカーの平面図であり、図６は本発明に係わる歩行ボードの傾斜角度調整装置の他実施例の使用状態を示す平面図である。
【００１０】
図１及び図２に示すように、本発明の歩行ボードの傾斜角度調整装置は、ウォーカーにおける歩行ボード（２０）の底部に設置する駆動装置と、夫々歩行ボード（２０）とハンドルロッド（２２）と枢設する連動部材（１６）とを備え、ハンドルロッド（２２）の上部にハンドル（符号なし）が設けられ、駆動装置と連動部材（１６）との間に連動部材（１６）をハンドルロッド（２２）に対して回転させる伝動部材が設けられる。上記の駆動装置はモータ（１０）であると共に、歩行ボード（２０）の底部に枢設する支持フレーム（１１）に固設される。
【００１１】
連動部材（１６）は、二つの略く字形の連動アーム（１６２）を備え、該連動アーム（１６２）の中段が夫々ハンドルロッド（２２）の両側に枢設され、一端が夫々歩行ボード（２０）の両側に枢設されると共に、他端が連接アーム（１６４）と連接され、連接アーム（１６４）が伝動部材によってモータ（１０）と連接される。
【００１２】
伝動部材は、伝動歯車（１２）と、歯を有する移動ロッド（１２２）とを備え、該伝動歯車（１２）がモータ（１０）の出力軸と連接されると共に、モータ（１０）の出力軸と伝動歯車（１２）との間に減速部材が設けられ、該減速部材が伝動歯車（１２）の回転速度を降下でき、移動ロッド（１２２）が伝動歯車（１２）と噛合すると共に、一端が連接アーム（１６４）と枢接される。移動ロッド（１２２）を支持するために、支持フレーム（１１）にガイドプレート（１１２）が折り出され、これにより、移動ロッド（１２２）がガイドプレート（１１２）に摺動することができる。
【００１３】
図１乃至図３に示すように、モータ（１０）を起動した後、伝動歯車（１２）を回転すると共に、移動ロッド（１２２）が支持フレーム（１１）におけるガイドプレート（１１２）に沿って摺動され、同時に連接アーム（１６４）を連動させると共に、連動アーム（１６２）がハンドルロッド（２２）に対して回転されることにより、歩行ボード（２０）の傾斜角度を調整できる。
【００１４】
本発明に係わる歩行ボードの傾斜角度調整装置を利用すれば、モータ（１０）などの駆動装置が歩行ボード（２０）の底部に枢設すると共に、歩行ボード（２０）が連動アーム（１６２）によってウォーカーにおけるハンドルロッド（２２）と連接するので、傾斜角度調整装置の設置空間を節約できるだけでなく、ウォーカーの安定性も向上できる。又、歩行ボード（２０）が直接にハンドルロッド（２２）と連接するので、歩行ボード（２０）の重量と使用者の体重がハンドルロッド（２２）によって支持されることにより、伝動部材の損壊が起こらなく、従って、ウォーカーにおける歩行ボードの傾斜角度調整装置の使用寿命を延長できる。
【００１５】
又、図４に示すように、連動アーム（１６２）がハンドルロッド（２２）と枢接するので、連動アーム（１６２）の中段の枢設箇所における枢接軸を回転中心として連動部材（１６）を回転させる際、歩行ボード（２０）をハンドルロッド（２２）に対して上方へ回転させることにより、歩行ボード（２０）を収納することができる。
【００１６】
図５及び図６に示すように、本発明に係わる歩行ボードの傾斜角度調整装置の他実施例は上記の実施例と殆ど等しく、異なる部分はモータ（１０）と連動部材（１６）との間に設置する伝動部材が螺合ロッド（１４）と螺合パイプ（１４２）とを備え、螺合ロッド（１４）がモータ（１０）における出力軸と同軸のように設置され、螺合パイプ（１４２）の一端が連動部材（１６）の連接アーム（１６４）と枢接されると共に、他端の内部に螺合ロッド（１４）と螺合できる内部ねじ山が設けられる。
【００１７】
モータ（１０）を起動した後、螺合ロッド（１４）と螺合パイプ（１４２）によって連接アーム（１６４）を連動させると共に、連動アーム（１６２）がハンドルロッド（２２）に対して回転させられることにより、歩行ボード（２０）の傾斜角度を調整できる。
【００１８】
又、駆動装置及び伝動部材に油圧タンク（油圧ジャッキ）を用いることもでき、油圧タンクの一端が歩行ボード（２０）と枢設されると共に、油圧タンクにおける伸縮ロッドが連動部材（１６）と枢接されることにより、上記の実施例と等しい効果を達成できる。
【００１９】
【発明の効果】
本発明は上記の構造を有するので、歩行ボードの底面に設置する駆動装置と、連動部材と駆動装置との間に設置する伝動部材により、傾斜角度調整装置の設置空間を節約できるだけでなく、ウォーカーの安定性も向上でき、又、歩行ボードが直接にハンドルロッドと連接するので、歩行ボードの重量と使用者の体重がハンドルロッドによって支持されることにより、伝動部材の損壊が起こらなく、従って、ウォーカーにおける歩行ボードの傾斜角度調整装置の使用寿命を延長できる。
【図面の簡単な説明】
【図１】  本発明に係わる歩行ボードの傾斜角度調整装置を設置するウォーカーの平面図である。
【図２】  本発明に係わる歩行ボードの傾斜角度調整装置の斜視図である。
【図３】  本発明に係わる歩行ボードの傾斜角度調整装置の使用状態を示す平面図である。
【図４】  本発明に係わる歩行ボードの傾斜角度調整装置を有するウォーカーの収納状態を示す参考図である。
【図５】  本発明に係わる歩行ボードの傾斜角度調整装置の他実施例を設置するウォーカーの平面図である。
【図６】  本発明に係わる歩行ボードの傾斜角度調整装置の他実施例の使用状態を示す平面図である。
【符号の説明】
１０        モータ
１１        支持フレーム
１１２      ガイドプレート
１２        伝動歯車
１２２      移動ロッド
１４        螺合ロッド
１４２      螺合パイプ
１６        連動部材
１６２      連動アーム
１６４      連接アーム
２０        歩行ボード
２２        ハンドルロッド
【図１】
0003743981.tif 000002
【図２】
0003743981.tif 000003
【図３】
0003743981.tif 000004
【図４】
0003743981.tif 000005
【図５】
0003743981.tif 000006
【図６】
0003743981.tif 000007